(57)【要約】【課題】迷光による影響を円滑に抑制すると共に、小型化が可能な光ピックアップ装置を提供する。【解決手段】光ピックアップ装置は、半導体レーザ１０１と、２波長レーザ１０２と、４つの傾斜面が形成されたプリズムからなる分光素子１１１と、アナモレンズ１１２と、光検出器１１３を備えている。半導体レーザ１０１から出射されるＢＤ光と、２波長レーザ１０２から出射されるＤＶＤ光は、ダイクロイックミラー１０３によって光軸が整合されている。ＢＤ光とＤＶＤ光の反射光は、分光素子１１１とアナモレンズ１１２によって離散される。離散されたＢＤ光の４つの光束と、離散されたＤＶＤ光の４つの光束は、光検出器１１３上に配された共通のセンサ部にて受光される。これにより、ＢＤ光とＤＶＤ光にそれぞれ対応するセンサ部を別々に設置する必要がないため、光ピックアップ装置を小型化することが可能となる。【選択図】図７
2012094223.tif 000002
【特許請求の範囲】
【請求項１】
所定波長の第１のレーザ光を出射する第１のレーザ光源と、
前記波長とは異なる波長の第２のレーザ光を出射する第２のレーザ光源と、
前記第１および第２のレーザ光の光軸を整合させる光学素子と、
前記第１および第２のレーザ光を記録媒体上に収束させる対物レンズ部と、
前記記録媒体によって反射された前記第１および第２のレーザ光の反射光が入射するとともに、第１の方向に前記反射光を収束させて第１の焦線を生成し、且つ、前記第１の方向に垂直な第２の方向に前記反射光を収束させて第２の焦線を生成する非点収差部と、
前記第１および第２の方向にそれぞれ平行な２つの直線で、前記第１および第２のレーザ光の反射光を４つの光束に分割したときの各光束を互いに離散させる分光部と、
離散された前記第１および第２のレーザ光の反射光の各光束を受光して検出信号を出力する光検出器と、を備え、
前記分光部は、複数の傾斜面を備える少なくとも一つのプリズムからなり、
前記光検出器には、前記第１のレーザ光の反射光の各光束と、前記第２のレーザ光の反射光の各光束とを受光する共通のセンサ部が配されている、
ことを特徴とする光ピックアップ装置。
【請求項２】
請求項１に記載の光ピックアップ装置において、
前記光学素子は、前記第１のレーザ光源から出射された前記第１のレーザ光を透過するとともに前記第２のレーザ光源から出射された前記第２のレーザ光を反射するダイクロイックミラーからなっている、
ことを特徴とする光ピックアップ装置。
【請求項３】
請求項１または２に記載の光ピックアップ装置において、
前記分光部は、離散された前記４つの光束が前記光検出器の受光面上において直方形の異なる４つの頂角の位置にそれぞれ導かれるよう、前記４つの光束の進行方向を変化させる、
ことを特徴とする光ピックアップ装置。
【請求項４】
請求項１ないし３の何れか一項に記載の光ピックアップ装置において、
前記非点収差部と前記分光部とが一体化されている、
ことを特徴とする光ピックアップ装置。
【請求項５】
請求項１ないし４の何れか一項に記載の光ピックアップ装置において、
前記非点収差部は、前記第１および第２のレーザ光の反射光の光軸に対して斜めに配置された光透過性の平行平板を含む、
ことを特徴とする光ピックアップ装置。
【請求項６】
請求項１ないし５の何れか一項に記載の光ピックアップ装置において、
前記非点収差部は、前記第１および第２のレーザ光の反射光の光軸に対して斜めに配置された光透過性の第１および第２の板状部材を含み、
前記第１および第２の板状部材の何れか１つ、または、両方には、前記分光部として作用する傾斜面が形成されている、
ことを特徴とする光ピックアップ装置。
【発明の詳細な説明】
【技術分野】
【０００１】
本発明は、光ピックアップ装置に関するものであり、特に、複数の記録層が積層された記録媒体に対してレーザ光を照射する際に用いて好適なものである。
【背景技術】
【０００２】
近年、光ディスクの大容量化に伴い、記録層の多層化が進んでいる。一枚のディスク内に複数の記録層を含めることにより、ディスクのデータ容量を顕著に高めることができる。記録層を積層する場合、これまでは片面２層が一般的であったが、最近では、さらに大容量化を進めるために、片面に３層以上の記録層が配されたディスクも実用化されている。ここで、記録層の積層数を増加させると、ディスクの大容量化を促進できる。しかし、その一方で、記録層間の間隔が狭くなり、層間クロストークによる信号劣化が増大する。
【０００３】
記録層を多層化すると、記録／再生対象とされる記録層（ターゲット記録層）からの反射光が微弱となる。このため、ターゲット記録層の上下にある記録層から、不要な反射光（迷光）が光検出器に入射すると、検出信号が劣化し、フォーカスサーボおよびトラッキングサーボに悪影響を及ぼす惧れがある。したがって、このように記録層が多数配されている場合には、適正に迷光を除去して、光検出器からの信号を安定化させる必要がある。
【０００４】
以下の特許文献１には、記録層が多数配されている場合に、適正に迷光を除去し得る光ピックアップ装置の新たな構成が示されている。この構成によれば、光検出器の受光面上に、信号光のみが存在する領域を作ることができる。この領域に、光検出器のセンサを配置することで、検出信号に対する迷光による影響を抑制することができる。
【先行技術文献】
【特許文献】
【０００５】
【特許文献１】特開２００９−２１１７７０号公報
【発明の概要】
【発明が解決しようとする課題】
【０００６】
上記光ピックアップ装置では、異なる種類の記録媒体に対して読み取りまたは書き込みが行われる場合、たとえば、各記録媒体に対応した複数のレーザ光が装置内に配される。これら複数のレーザ光は、それぞれ、対応する記録媒体に照射され、記録媒体によって反射された反射光は、共通の光学系により光検出器上に導かれる。この場合、光検出器上に、各記録媒体に対応したレーザ光を受光するためのセンサ部を設ける必要があるため、光検出器が大きくなる。これにより、光ピックアップ装置を小型化し難くなるとの問題が生じる。
【０００７】
本発明は、このような点に鑑みてなされたものであり、迷光による影響を円滑に抑制すると共に、小型化が可能な光ピックアップ装置を提供することを目的とする。
【課題を解決するための手段】
【０００８】
本発明の主たる態様に係る光ピックアップ装置は、所定波長の第１のレーザ光を出射する第１のレーザ光源と、前記波長とは異なる波長の第２のレーザ光を出射する第２のレーザ光源と、前記第１および第２のレーザ光の光軸を整合させる光学素子と、前記第１および第２のレーザ光を記録媒体上に収束させる対物レンズ部と、前記記録媒体によって反射された前記第１および第２のレーザ光の反射光が入射するとともに、第１の方向に前記反射光を収束させて第１の焦線を生成し、且つ、前記第１の方向に垂直な第２の方向に前記
反射光を収束させて第２の焦線を生成する非点収差部と、前記第１および第２の方向にそれぞれ平行な２つの直線で、前記第１および第２のレーザ光の反射光を４つの光束に分割したときの各光束を互いに離散させる分光部と、離散された前記第１および第２のレーザ光の反射光の各光束を受光して検出信号を出力する光検出器と、を備える。ここで、前記分光部は、複数の傾斜面を備える少なくとも一つのプリズムからなり、前記光検出器には、前記第１のレーザ光の反射光の各光束と、前記第２のレーザ光の反射光の各光束とを受光する共通のセンサ部が配されている。
【発明の効果】
【０００９】
本発明によれば、迷光による影響を円滑に抑制すると共に、小型化が可能な光ピックアップ装置を提供することができる。
【００１０】
本発明の効果ないし意義は、以下に示す実施の形態の説明により更に明らかとなろう。ただし、以下の実施の形態は、あくまでも、本発明を実施する際の一つの例示であって、本発明は、以下の実施の形態によって何ら制限されるものではない。
【図面の簡単な説明】
【００１１】
【図１】実施の形態に係る技術原理（光線の収束状態）を説明する図である。
【図２】実施の形態に係る技術原理（光束の分布状態）を説明する図である。
【図３】実施の形態に係る技術原理（信号光と迷光の分布状態）を説明する図である。
【図４】実施の形態に係る技術原理（光束の分離方法）を説明する図である。
【図５】実施の形態に係るセンサ部の配置方法を示す図である。
【図６】実施の形態に係る技術原理の好ましい適用範囲を示す図である。
【図７】実施例に係る光ピックアップ装置の光学系を示す図およびアナモレンズに入射する光束が受ける収束作用を示す図である。
【図８】実施例に係る分光素子の構成を示す斜視図および分光素子によりレーザ光の進行方向が変化させられることを模式的に示す図である。
【図９】実施例に係る光検出器のセンサレイアウトを示す図である。
【図１０】変更例１に係る光ピックアップ装置の光学系を示す図およびレーザ光の回折効率を示す図である。
【図１１】変更例２に係る光ピックアップ装置の光学系を示す図および複合レンズの構成を示す斜視図である。
【図１２】変更例３に係る光ピックアップ装置の光学系を示す図である。
【図１３】変更例４に係る光ピックアップ装置の光学系を示す図である。
【図１４】変更例４に係るハーフミラーと非点収差板の構成を示す斜視図およびハーフミラーと非点収差板によりレーザ光の進行方向が変化させられることを模式的に示す図である。
【図１５】変更例４に係るハーフミラーと非点収差板の構成を示す斜視図およびハーフミラーと非点収差板によりレーザ光の進行方向が変化させられることを模式的に示す図である。
【図１６】他の変更例に係る光ピックアップ装置の光学系を示す図である。
【発明を実施するための形態】
【００１２】
以下、本発明の実施の形態につき図面を参照して説明する。
【００１３】
＜技術的原理＞
まず、図１ないし図６を参照して、本実施の形態に適用される技術的原理について説明する。
【００１４】
図１は、光線の収束状態を示す図である。同図（ａ）は、ターゲット記録層によって反
射されたレーザ光（信号光）、ターゲット記録層よりも深い層によって反射されたレーザ光（迷光１）、ターゲット記録層よりも浅い層によって反射されたレーザ光（迷光２）の収束状態を示す図である。同図（ｂ）は、本原理に用いるアナモレンズの構成を示す図である。
【００１５】
同図（ｂ）を参照して、アナモレンズは、レンズ光軸に平行に入射するレーザ光に対し、曲面方向と平面方向に収束作用を付与する。ここで、曲面方向と平面方向は、互いに直交している。また、曲面方向は、平面方向に比べ曲率半径が小さく、アナモレンズに入射するレーザ光を収束させる効果が大きい。
【００１６】
なお、ここでは、アナモレンズにおける非点収差作用を簡単に説明するために、便宜上、“曲面方向”と“平面方向”と表現しているが、実際には、互いに異なる位置に焦線を結ぶ作用がアナモレンズによって生じれば良く、図１（ｂ）中の“平面方向”におけるアナモレンズの形状を平面に限定するものではない。なお、アナモレンズに収束状態でレーザ光が入射する場合は、“平面方向”におけるアナモレンズの形状は直線状（曲率半径＝∞）となり得る。
【００１７】
同図（ａ）を参照して、アナモレンズによって収束させられた信号光は、曲面方向および平面方向の収束により、それぞれ異なる位置で焦線を結ぶ。曲面方向の収束による焦線位置（Ｓ１）は、平面方向の収束による焦線位置（Ｓ２）よりも、アナモレンズに近い位置となり、信号光の収束位置（Ｓ０）は、曲面方向および平面方向による焦線位置（Ｓ１）、（Ｓ２）の中間位置となる。
【００１８】
アナモレンズによって収束させられた迷光１についても同様に、曲面方向の収束による焦線位置（Ｍ１１）は、平面方向の収束による焦線位置（Ｍ１２）よりも、アナモレンズに近い位置となる。アナモレンズは、迷光１の平面方向の収束による焦線位置（Ｍ１２）が、信号光の曲面方向の収束による焦線位置（Ｓ１）よりも、アナモレンズに近い位置となるよう、設計されている。
【００１９】
アナモレンズによって収束させられた迷光２についても同様に、曲面方向の収束による焦線位置（Ｍ２１）は、平面方向の収束による焦線位置（Ｍ２２）よりも、アナモレンズに近い位置となる。アナモレンズは、迷光２の曲面方向の収束による焦線位置（Ｍ２１）は、信号光の平面方向の収束による焦線位置（Ｓ２）よりも、アナモレンズから遠い位置となるよう、設計されている。
【００２０】
また、焦線位置（Ｓ１）と焦線位置（Ｓ２）の間の収束位置（Ｓ０）において、信号光のビームが最小錯乱円となる。
【００２１】
以上を考慮して、面Ｓ０上における信号光および迷光１、２の照射領域の関係について検討する。
【００２２】
ここでは、図２（ａ）に示すように、アナモレンズが、４つの領域Ａ〜Ｄに区分される。この場合、領域Ａ〜Ｄに入射した信号光は、面Ｓ０上において、図２（ｂ）のように分布する。また、領域Ａ〜Ｄに入射した迷光１は、面Ｓ０上において、図２（ｃ）のように分布する。領域Ａ〜Ｄに入射した迷光２は、面Ｓ０上において、図２（ｄ）のように分布する。
【００２３】
ここで、面Ｓ０上における信号光と迷光１、２を光束領域毎に取り出すと、各光の分布は、図３（ａ）ないし（ｄ）のようになる。この場合、各光束領域の信号光には、同じ光束領域の迷光１および迷光２の何れも重ならない。このため、各光束領域内の光束（信号
光、迷光１、２）を異なる方向に離散させた後に、信号光のみをセンサ部にて受光するように構成すると、対応するセンサ部には信号光のみが入射し、迷光の入射を抑止することができる。これにより、迷光による検出信号の劣化を回避することができる。
【００２４】
このように、領域Ａ〜Ｄを通る光を分散させて面Ｓ０上において離間させることにより、信号光のみを取り出すことができる。本実施の形態は、この原理を基盤とするものである。
【００２５】
図４は、図２（ａ）に示す４つの領域Ａ〜Ｄを通る光束（信号光、迷光１、２）の進行方向を、それぞれ、異なる方向に、同じ角度だけ変化させたときの、面Ｓ０上における信号光と迷光１、２の分布状態を示す図である。図４（ａ）は、アナモレンズの光軸方向（アナモレンズ入射時のレーザ光の進行方向）からアナモレンズを見た図、同図（ｂ）は、面Ｓ０における信号光、迷光１、２の分布状態を示す図である。
【００２６】
同図（ａ）では、領域Ａ〜Ｄを通った光束（信号光、迷光１、２）の進行方向が、入射前の各光束の進行方向に対して、それぞれ、方向Ｄａ、Ｄｂ、Ｄｃ、Ｄｄに、同じ角度量α（図示せず）だけ変化する。なお、方向Ｄａ、Ｄｂ、Ｄｃ、Ｄｄは、平面方向と曲面方向に対して、それぞれ、４５度の傾きを持っている。
【００２７】
この場合、方向Ｄａ、Ｄｂ、Ｄｃ、Ｄｄにおける角度量αを調節することにより、面Ｓ０上において、同図（ｂ）に示すように各光束領域の信号光と迷光１、２を分布させることができる。その結果、図示の如く、信号光のみが存在する信号光領域を面Ｓ０上に設定することができる。この信号光領域に光検出器の複数のセンサ部を配置することにより、各領域の信号光のみを、対応するセンサ部にて受光することができる。
【００２８】
図５は、センサ部の配置方法を説明する図である。同図（ａ）は、ディスクからの反射光（信号光）の光束領域を示す図であり、同図（ｂ）は、図１（ａ）の構成において、アナモレンズの配置位置と面Ｓ０に、それぞれ、アナモレンズと、従来の非点収差法に基づく光検出器（４分割センサ）を配置したときの、光検出器上における信号光の分布状態を示す図である。図５（ｃ）および（ｄ）は、面Ｓ０上における、上述の原理に基づく信号光の分布状態とセンサレイアウトを示す図である。
【００２９】
トラック溝による信号光の回折の像（トラック像）の方向は、平面方向および曲面方向に対して４５度の傾きを持っている。同図（ａ）において、トラック像の方向が左右方向であるとすると、同図（ｂ）ないし（ｄ）では、信号光におけるトラック像の方向は、上下方向となる。なお、同図（ａ）、（ｂ）および（ｄ）には、説明の便宜上、光束が８つの光束領域ａ〜ｈに区分されている。また、トラック像が実線で示され、オフフォーカス時のビーム形状が点線によって示されている。
【００３０】
なお、トラック溝による信号光の０次回折像と一次回折像の重なり状態は、波長／（トラックピッチ×対物レンズＮＡ）で求められることが知られており、同図（ａ）、（ｂ）、（ｄ）のように、４つの光束領域ａ、ｄ、ｅ、ｈに一次回折像が収まる条件は、波長／（トラックピッチ×対物レンズＮＡ）＞√２となる。
【００３１】
従来の非点収差法では、光検出器のセンサ部Ｐ１〜Ｐ４（４分割センサ）が同図（ｂ）のように設定される。この場合、光束領域ａ〜ｈの光強度に基づく検出信号成分をＡ〜Ｈで表すと、フォーカスエラー信号ＦＥとプッシュプル信号ＰＰは、
ＦＥ＝（Ａ＋Ｂ＋Ｅ＋Ｆ）−（Ｃ＋Ｄ＋Ｇ＋Ｈ）    …（１）
ＰＰ＝（Ａ＋Ｂ＋Ｇ＋Ｈ）−（Ｃ＋Ｄ＋Ｅ＋Ｆ）    …（２）
の演算により求まる。
【００３２】
これに対し、上記図４（ｂ）の分布状態では、上述の如く、信号光領域内に、図５（ｃ）の状態で信号光が分布している。この場合、同図（ａ）に示す光束領域ａ〜ｈを通る信号光は、同図（ｄ）のようになる。すなわち、同図（ａ）の光束領域ａ〜ｈを通る信号光は、光検出器のセンサ部が置かれる面Ｓ０上では、同図（ｄ）に示す光束領域ａ〜ｈへと導かれる。
【００３３】
したがって、同図（ｄ）に示す光束領域ａ〜ｈの位置に、同図（ｄ）に重ねて示す如くセンサ部Ｐ１１〜Ｐ１８を配置すれば、同図（ｂ）の場合と同様の演算処理によって、フォーカスエラー信号とプッシュプル信号を生成することができる。すなわち、この場合も、光束領域ａ〜ｈの光束を受光するセンサ部からの検出信号をＡ〜Ｈで表すと、同図（ｂ）の場合と同様、フォーカスエラー信号ＦＥとプッシュプル信号ＰＰは、上記式（１）、（２）の演算により取得することができる。
【００３４】
以上のように、本原理によれば、従来の非点収差法に基づく場合と同様の演算処理にて、迷光の影響が抑制されたフォーカスエラー信号とプッシュプル信号（トラッキングエラー信号）を生成することができる。
【００３５】
なお、上記原理による効果は、図６に示すように、迷光１の平面方向の焦線位置が面Ｓ０（信号光のスポットが最小錯乱円となる面）よりも非点収差素子に接近した位置にあり、且つ、迷光２の曲面方向の焦線位置が面Ｓ０よりも非点収差素子から離れた位置にあるときに奏され得るものである。すなわち、この関係が満たされていれば、信号光と迷光１、２の分布は上記図４（ｂ）に示す状態となり、面Ｓ０において、信号光と迷光１、２が重なり合わないようすることができる。換言すれば、この関係が満たされる限り、たとえ、信号光の曲面方向の焦線位置よりも迷光１の平面方向の焦線位置が面Ｓ０に接近し、あるいは、信号光の平面方向の焦線位置よりも迷光２の曲面方向の焦線位置が面Ｓ０に接近したとしても、上記原理に基づく効果は奏され得る。
【００３６】
＜実施例＞
本実施例は、ＢＤ、ＤＶＤおよびＣＤに対応可能な互換型の光ピックアップ装置に本発明を適用したものである。
【００３７】
図７（ａ）、（ｂ）は、本実施例に係る光ピックアップ装置の光学系を示す図である。図７（ａ）は、立ち上げミラー１０７、１０８よりもディスク側の構成を省略した光学系の平面図、図７（ｂ）は、立ち上げミラー１０７、１０８からディスク側の光学系を側面から透視した図である。
【００３８】
図示の如く、光ピックアップ装置は、半導体レーザ１０１と、２波長レーザ１０２と、ダイクロイックミラー１０３と、ＰＢＳ（Polarizing Beam Splitter）１０４と、コリメートレンズ１０５と、レンズアクチュエータ１０６と、立ち上げミラー１０７、１０８と、２波長対物レンズ１０９と、ＢＤ対物レンズ１１０と、分光素子１１１と、アナモレンズ１１２と、光検出器１１３を備えている。
【００３９】
半導体レーザ１０１は、波長４０５ｎｍ程度のＢＤ用レーザ光（以下、「ＢＤ光」という）を出射する。２波長レーザ１０２は、波長６６０ｎｍ程度のＤＶＤ用レーザ光（以下、「ＤＶＤ光」という）と、波長７８５ｎｍ程度のＣＤ用レーザ光（以下、「ＣＤ光」という）をそれぞれ出射する２つのレーザ素子を同一ＣＡＮ内に収容している。ＤＶＤ光とＣＤ光の発光点はＹ軸方向に並んでおり、これら発光点間のギャップはＧである。
【００４０】
なお、ＣＤ光の発光点とＤＶＤ光の発光点との間のギャップＧは、後述の如く、ＣＤ光
が、ＣＤ光用のセンサ部に適正に照射されるように設定される。このように、２つの光源を同一ＣＡＮ内に収容することで、複数ＣＡＮの構成に比べて光学系を簡素化することができる。
【００４１】
ダイクロイックミラー１０３は、ＢＤ光を透過し、ＣＤ光とＤＶＤ光を反射する。半導体レーザ１０１と２波長レーザ１０２は、ダイクロイックミラー１０３を透過したＢＤ光の光軸と、ダイクロイックミラー１０３により反射されたＤＶＤ光の光軸が、互いに整合するように配置される。ダイクロイックミラー１０３により反射されたＣＤ光の光軸は、ＢＤ光とＤＶＤ光の光軸から、ギャップＧだけずれる。
【００４２】
ＰＢＳ１０４は、ダイクロイックミラー１０３側から入射するＢＤ光、ＤＶＤ光、ＣＤ光を反射して、コリメートレンズ１０５に入射させる。このようにＢＤ光、ＤＶＤ光、ＣＤ光がＰＢＳ１０４によって反射されるよう、半導体レーザ１０１と２波長レーザ１０２から出射されるレーザ光の偏光方向が設定されている。
【００４３】
コリメートレンズ１０５は、ＰＢＳ１０４側から入射するＢＤ光、ＤＶＤ光、ＣＤ光を平行光に変換する。レンズアクチュエータ１０６は、収差補正の際に、制御信号に応じてコリメートレンズ１０５を光軸方向に移動させる。
【００４４】
立ち上げミラー１０７は、ダイクロイックミラーであり、ＢＤ光を透過するとともに、ＤＶＤ光とＣＤ光を２波長対物レンズ１０９に向かう方向に反射する。立ち上げミラー１０８は、ＢＤ光をＢＤ対物レンズ１１０に向かう方向に反射する。
【００４５】
２波長対物レンズ１０９は、ＤＶＤ光とＣＤ光を、それぞれ、ＤＶＤとＣＤに対して適正に収束させるよう構成されている。また、ＢＤ対物レンズ１１０は、ＢＤ光をＢＤに適正に収束させるよう構成されている。２波長対物レンズ１０９とＢＤ対物レンズ１１０は、ホルダ１２１に保持された状態で、対物レンズアクチュエータ１２２により、フォーカス方向およびトラッキング方向に駆動される。なお、ディスクのトラック接線方向は、Ｙ軸方向となっている。
【００４６】
ＢＤによって反射されたＢＤ光は、再びＢＤ対物レンズ１１０と立ち上げミラー１０８、１０７を通り、コリメートレンズ１０５に入射する。ＤＶＤとＣＤによって反射されたＤＶＤ光とＣＤ光も、再び２波長対物レンズ１０９と立ち上げミラー１０７を通り、コリメートレンズ１０５に入射する。コリメートレンズ１０５は、立ち上げミラー１０７側からコリメートレンズ１０５に入射するＢＤ光、ＤＶＤ光、ＣＤ光を収束光に変換する。コリメートレンズ１０５により収束光に変換されたＢＤ光、ＤＶＤ光、ＣＤ光は、ＰＢＳ１０４を略全透過して、分光素子１１１に入射する。
【００４７】
分光素子１１１は、多面プリズムによって形成されている。分光素子１１１に入射したＢＤ光、ＤＶＤ光、ＣＤ光は、４個の光束に区分され、分光素子１１１による屈折作用によって、各光束の進行方向が変えられる。
【００４８】
図８（ａ）は、分光素子１１１の構成を示す斜視図であり、図８（ｂ）は、分光素子１１１により、ＢＤ光、ＤＶＤ光、ＣＤ光の進行方向が変化させられることを模式的に示す図である。なお、同図（ｂ）は、分光素子１１１をＰＢＳ１０４側から見たときの平面図である。また、同図（ｂ）には、アナモレンズ１１２の平面方向、曲面方向が併せて示されている。
【００４９】
同図（ａ）に示す如く、分光素子１１１には、出射面側に４つの傾斜面１１１ａ〜１１１ｄが形成されている。これら４つの傾斜面１１１ａ〜１１１ｄは、各傾斜面に入射する
光束の進行方向が、それぞれ同図（ｂ）の矢印Ｄａ〜Ｄｄの方向に進むように調整されている。同図（ｂ）の矢印Ｄａ〜Ｄｄは、図４（ａ）の矢印Ｄａ〜Ｄｄに相当する。
【００５０】
分光素子１１１は、ＰＢＳ１０４側から入射するＢＤ光とＤＶＤ光の光軸が、出射面において傾斜面１１１ａ〜１１１ｄの交わる点（中心点Ｏ）を通るように配置されている。このとき、図７（ａ）に示したように、ＣＤ光の光軸と、ＢＤ光とＤＶＤ光の光軸とは、ずれているため、ＰＢＳ１０４側から入射するＣＤ光の光軸は、分光素子１１１の出射面において中心点Ｏからずれている。なお、分光素子１１１は多面プリズムによって形成されているため、分光素子１１１によるＢＤ光、ＤＶＤ光、ＣＤ光の屈折角度は、略同じとなる。
【００５１】
図７（ａ）に戻り、アナモレンズ１１２は、分光素子１１１側から入射したＢＤ光、ＤＶＤ光、ＣＤ光に非点収差を導入する。アナモレンズ１１２は、図１（ａ）、（ｂ）のアナモレンズに相当する。
【００５２】
図７（ｃ）は、分光素子１１１が無い場合に、アナモレンズ１１２に入射する光束を、光束の進行方向（Ｘ軸正方向）に見たときの図である。アナモレンズに入射する光束のトラック像の方向は、図示の如く、Ｙ軸方向となっている。
【００５３】
アナモレンズ１１２に入射する光束は、図示の如く、平面方向と曲面方向に収束作用を受ける。従って、このように設定されたアナモレンズ１１２の前段に、図８（ａ）、（ｂ）に示した分光素子１１１が配されると、分光素子１１１とアナモレンズ１１２の作用により、ディスクによって反射されたレーザ光は、光検出器１１３の受光面上に、図４（ｂ）のように照射される。
【００５４】
図７（ａ）に戻り、アナモレンズ１１２を透過したＢＤ光、ＤＶＤ光、ＣＤ光は、光検出器１１３に入射する。光検出器１１３は、ＢＤ光、ＤＶＤ光、ＣＤ光を受光するためのセンサレイアウトを有している。
【００５５】
図９は、光検出器１１３のセンサレイアウトを示す図である。
【００５６】
光検出器１１３は、ＢＤ光とＤＶＤ光を受光するセンサ部Ｂ１〜Ｂ８と、ＣＤ光を受光するセンサ部Ｃ１〜Ｃ８とを有する。センサ部Ｂ１〜Ｂ８からなるセンサレイアウトと、センサ部Ｃ１〜Ｃ８からなるセンサレイアウトは、略同じレイアウトに構成されており、トラック像の方向に間隔Ｗだけずれて配置されている。
【００５７】
ＢＤ光の信号光とＤＶＤ光の信号光を、それぞれ、図５（ａ）に示すように光束領域ａ〜ｈに便宜的に分割すると、ＢＤ光の信号光の光束領域ａ〜ｈと、ＤＶＤ光の信号光の光束領域ａ〜ｈは、上記原理と同様に分離され、光検出器１１３上において、図９の照射領域ａ１〜ｈ１に照射される。このとき、ＢＤ光とＤＶＤ光の照射領域ａ１〜ｈ１は、信号光領域１内の４つの頂角付近に位置付けられる。センサ部Ｂ１〜Ｂ８は、信号光領域１の４つの頂角付近に配置されており、それぞれ、照射領域ａ１、ｈ１、ｆ１、ｃ１、ｇ１、ｂ１、ｄ１、ｅ１に照射されるＢＤ光とＤＶＤ光の信号光を検出する。
【００５８】
同様に、ＣＤ光の信号光を、図５（ａ）に示すように光束領域ａ〜ｈに便宜的に分割すると、ＣＤ光の信号光の光束領域ａ〜ｈは、上記原理と同様に分離され、光検出器１１３上において、図９の照射領域ａ２〜ｈ２に照射される。このとき、ＣＤ光の照射領域ａ２〜ｈ２は、信号光領域２内の４つの頂角付近に位置付けられる。センサ部Ｃ１〜Ｃ８は、信号光領域２の４つの頂角付近に配置されており、それぞれ、照射領域ａ２、ｈ２、ｆ２、ｃ２、ｇ２、ｂ２、ｄ２、ｅ２に照射されるＣＤ光の信号光を検出する。
【００５９】
なお、センサ部Ｂ１〜Ｂ８からなるセンサレイアウトと、センサ部Ｃ１〜Ｃ８からなるセンサレイアウトとの間隔Ｗは、２波長レーザ１０２におけるＤＶＤ光とＣＤ光の発光点間のギャップＧと、アナモレンズ１１２の曲率に応じて設定される。
【００６０】
以上、本実施例によれば、ＢＤ光とＤＶＤ光の信号光は、共通のセンサ部Ｂ１〜Ｂ８によって受光される。これにより、光検出器１１３の受光面上に、ＢＤ光とＤＶＤ光にそれぞれ対応するセンサ部を別々に設置する必要がないため、光検出器１１３の受光面の面積を小さくすることができる。よって、光ピックアップ装置を小型化することが可能となる。
【００６１】
また、本実施例によれば、分光素子１１１は多面プリズムにより形成されているため、分光素子１１１を、プラスチックにより形成することが可能となる。従って、分光素子１１１は、より安価に形成され得るため、光ピックアップ装置にかかるコストを低減することが可能となる。
【００６２】
なお、上記実施例に示すように、２波長レーザ１０２から出射されるＤＶＤ光とＣＤ光のうち、ＣＤ光の光軸がＢＤ光の光軸に合わせられるのではなく、ＤＶＤ光の光軸がＢＤ光の光軸に合わせられるのが望ましい。これは、以下に示すような理由による。
【００６３】
ＤＶＤ光がＤＶＤ−ＲＡＭに対して照射される場合、ＤＶＤ光がＤＶＤ−ＲＡＭ以外のＤＶＤに対して照射される場合に比べて、トラック幅は大きく、且つ、トラック溝によるボールパターンは大きい。このため、ＤＶＤ光の光軸がＢＤ光の光軸に合わせられるのではなく、ＣＤ光の光軸がＢＤ光の光軸に合わせられると、ＤＶＤ光の光軸が分光素子１１１とアナモレンズ１１２の中心からずれることになり、ＤＶＤ−ＲＡＭが用いられた場合に適正な検出信号が得られにくくなる。このため、上記実施例では、ＤＶＤ光の光軸が、ＢＤ光の光軸に合わせられている。
【００６４】
＜変更例１＞
図１０（ａ）は、本変更例に係る光ピックアップ装置の光学系の一部を示す図である。本変更例に係る光ピックアップ装置の光学系は、図７（ａ）、（ｂ）に示した光ピックアップ装置の光学系に、２波長レーザ１０２とダイクロイックミラー１０３の間に回折素子１３１が追加された構成となっている。なお、本変更例の光ピックアップ装置の光学系のうち、立ち上げミラー１０７、１０８よりもディスク側の構成については、便宜上、図示が省略されている。
【００６５】
図１０（ａ）に示す如く、本変更例では、回折素子１３１によって、ＤＶＤ光の光軸がＣＤ光の光軸に整合される。回折素子１３１は、ダイクロイックミラー１０３側の面に回折パターンを有している。この回折パターンは、ＤＶＤ光のみを所定の角度だけ回折させる。これにより、回折素子１３１の出射面において、ＤＶＤ光とＣＤ光の光軸が一致させられる。このように光軸が一致させられたＤＶＤ光とＣＤ光は、ダイクロイックミラー１０３によって、さらにＢＤ光の光軸と一致させられる。こうして、ダイクロイックミラー１０３からＰＢＳ１０４に向かうＢＤ光、ＤＶＤ光、ＣＤ光の光軸が一致させられる。
【００６６】
ここで、回折素子１３１の回折パターンは、たとえば、５ステップ構造で、且つ、１ステップの段差が１．４６ｎｍに設定される。こうすると、図１０（ｂ）に示す如く、ＣＤ光は略１００％回折素子１３１を透過し、ＤＶＤ光の１次回折光の回折効率は約８６％となる。これにより、ＤＶＤ光のパワー損失が抑制される。
【００６７】
このように光ピックアップ装置の光学系が設定されると、上記実施例と同様の効果が奏
される。また、本変更例では、ＢＤ光、ＤＶＤ光、ＣＤ光の光軸が一致させられるため、光検出器１１３上のセンサレイアウトを１つにすることができる。すなわち、図９のセンサ部Ｂ１〜Ｂ８によって、ＢＤ光、ＤＶＤ光、ＣＤ光の全ての信号光を受光することができる。図１０（ｃ）は、本変更例のセンサレイアウトを示す図である。これにより、上記実施例に比べて、光検出器１１３の面積を小さくすることができ、光ピックアップ装置を小型化することが可能となる。
【００６８】
＜変更例２＞
図１１（ａ）は、本変更例に係る光ピックアップ装置の光学系の一部を示す図である。本変更例に係る光ピックアップ装置の光学系は、図７（ａ）、（ｂ）に示した光ピックアップ装置の光学系から、分光素子１１１とアナモレンズ１１２が除かれ、ＰＢＳ１０４と光検出器１１３との間に、複合レンズ１４１が設置された構成となっている。なお、本変更例の光ピックアップ装置の光学系のうち、立ち上げミラー１０７、１０８よりもディスク側の構成については、便宜上、図示が省略されている。
【００６９】
図１１（ｂ）、（ｃ）は、複合レンズ１４１の構成を示す斜視図である。同図（ａ）は、複合レンズ１４１をＰＢＳ１０４側から見た斜視図であり、同図（ｂ）は、複合レンズ１４１を光検出器１１３側から見た斜視図である。
【００７０】
同図（ｂ）に示す如く、複合レンズ１４１のＰＢＳ１０４側の面には、上記実施例の分光素子１１１の傾斜面１１１ａ〜１１１ｄと同様の、傾斜面１４１ａ〜１４１ｄが形成されている。また上記実施例と同様、ディスクによって反射されたＢＤ光とＤＶＤ光の光軸は、傾斜面１４１ａ〜１４１ｄの交わる点（中心点Ｏ）を通るように、複合レンズ１４１が配置されている。
【００７１】
同図（ｃ）に示す如く、複合レンズ１４１の光検出器１１３側の面には、上記実施例のアナモレンズ１１２と同様の非点収差作用をＢＤ光、ＤＶＤ光およびＣＤ光に与えるためのトーリック面１４１ｅが形成されている。
【００７２】
このように光ピックアップ装置の光学系が設定されると、上記実施例と同様の効果が奏される。また、本変更例では、分光素子１１１とアナモレンズ１１２の替わりに、複合レンズ１４１が用いられているため、上記実施例に比べて光ピックアップ装置の部品点数が減少する。これにより、上記実施例に比べて、光ピックアップ装置を小型化することが可能となる。
【００７３】
＜変更例３＞
図１２（ａ）は、本変更例に係る光ピックアップ装置の光学系の一部を示す図である。本変更例に係る光ピックアップ装置の光学系は、図７（ａ）、（ｂ）に示した光ピックアップ装置の光学系から、ＰＢＳ１０４とアナモレンズ１１２の替わりに、ハーフミラー１５１と、非点収差板１５２、１５３が設置されている。なお、本変更例の光ピックアップ装置の光学系のうち、立ち上げミラー１０７、１０８よりもディスク側の構成については、便宜上、図示が省略されている。
【００７４】
ハーフミラー１５１は、入射面において、入射するレーザ光を５０％の比率で反射および透過する。これにより、ハーフミラー１５１は、ダイクロイックミラー１０３側から入射されるレーザ光を、コリメートレンズ１０５側に反射し、コリメートレンズ１０５側から入射されるレーザ光をＸ軸正方向に透過する。ハーフミラー１５１は、平行平板である。ハーフミラー１５１の入射面は、Ｙ−Ｚ平面に平行な状態から、Ｚ軸を中心として４５度だけ傾けられている。また、コリメートレンズ１０５側からハーフミラー１５１に入射するレーザ光は収束光である。このため、ハーフミラー１５１に入射するレーザ光は、ハ
ーフミラー１５１を透過することにより、Ｙ軸方向にさらに収束される。
【００７５】
非点収差板１５２は、透明な平行平板である。非点収差板１５２の入射面はＹ−Ｚ平面に平行な状態から、Ｙ軸を中心として４５度だけ傾けられている。また、ハーフミラー１５１側から非点収差板１５２に入射するレーザ光は収束光である。このため、非点収差板１５２に入射するレーザ光は、非点収差板１５２を透過することにより、Ｚ軸方向にさらに収束される。
【００７６】
非点収差板１５２の厚みおよび屈折率と傾き角は、ハーフミラー１５１による非点収差作用と、非点収差板１５２による非点収差作用が、互いにほぼ打ち消し合うよう調整されている。このため、実質的に非点収差板１５３の非点収差の効果のみ残ることとなる。
【００７７】
非点収差板１５３は、透明な平行平板である。非点収差板１５３の入射面は、反射光のトラック像の方向に対して４５度の角をなすように傾けて配置されている。すなわち、非点収差板１５３の入射面は、Ｙ−Ｚ平面に平行な状態から、Ｙ軸を中心として傾けられ、さらにＢＤ光とＤＶＤ光の光軸を中心として４５度だけ傾けられている。このため、非点収差板１５３に入射するレーザ光は、非点収差板１５３を透過することにより、Ｘ軸方向から見て、トラック像の方向に対して４５度の角をなす方向に収束される。これにより、レーザ光に非点収差が導入される。
【００７８】
なお、非点収差板１５３の傾き方向は、ハーフミラー１５１と非点収差板１５２により生じるコマ収差を、非点収差板１５３により生じるコマ収差によって同時に抑制できる方向となっている。非点収差板１５３の厚みおよび屈折率と傾き角は、ハーフミラー１５１と非点収差板１５２により生じるコマ収差を抑制でき、且つ、所望の非点収差作用を実現できるよう調整されている。
【００７９】
このように、ハーフミラー１５１と、非点収差板１５２、１５３により、それぞれレーザ光が収束させられると、上記実施例と同様、コリメートレンズ１０５からＸ軸正方向に向かうレーザ光は、平面方向と曲面方向に収束させられることになる。これにより、上記実施例と同様の非点収差が導入されることになり、上記実施例と同様の効果が奏される。この場合、上記実施例のＰＢＳ１０４とアナモレンズ１１２の替わりに、安価なハーフミラー１５１と、非点収差板１５２、１５３が用いられるため、光ピックアップ装置にかかるコストを抑制することができる。
【００８０】
なお、図１２（ｂ）に示すように、ディスク上のトラックの接線方向がＸ軸方向に対して４５度傾くように、光ピックアップ装置の光学系が設定されても良い。この場合、ハーフミラー１５１によって導入される非点収差の方向（平面方向、曲面方向）は、トラック像に対して４５度傾く。このため、光ピックアップ装置の光学系は、図１２（ｂ）に示す如く、図１２（ａ）の光学系から、非点収差板１５２、１５３が省略可能である。また、分光素子１１１と光検出器１１３は、図１２（ａ）の状態からＸ軸の周りに４５度回転される。このように分光素子１１１と光検出器１１３の配置が調整されることにより、上記実施例と同様の効果が奏される。この構成によれば、図１２（ａ）の構成から、さらに部品点数を低減させることができる。
【００８１】
＜変更例４＞
図１３（ａ）は、本変更例に係る光ピックアップ装置の光学系の一部を示す図である。本変更例に係る光ピックアップ装置の光学系は、図７（ａ）、（ｂ）に示した光ピックアップ装置の光学系から、ＰＢＳ１０４と、分光素子１１１と、アナモレンズ１１２の替わりに、ハーフミラー１６１と、非点収差板１６２、１６３が設置されている。なお、本変更例の光ピックアップ装置の光学系のうち、立ち上げミラー１０７、１０８よりもディス
ク側の構成については、便宜上、図示が省略されている。
【００８２】
ハーフミラー１６１と、非点収差板１６２、１６３は、上記変更例３で示したハーフミラー１５１と、非点収差板１５２、１５３と同様に、コリメートレンズ１０５からＸ軸正方向に向かうレーザ光に対して、非点収差を導入する。ハーフミラー１６１と非点収差板１６２による非点収差作用は、互いにほぼ打ち消し合うよう調整されている。このため、実質的に非点収差板１６３の非点収差の効果のみ残ることとなる。非点収差板１６３は、上記変更例３の非点収差板１５３と同様の構成である。非点収差板１６３により、上記変更例３の非点収差板１５３と同様、ハーフミラー１６１と非点収差板１６２により生じるコマ収差を抑制することができる。
【００８３】
図１４（ａ）、（ｂ）は、それぞれ、ハーフミラー１６１と非点収差板１６２の構成を示す斜視図であり、同図（ｃ）および（ｄ）は、それぞれ、ハーフミラー１６１と非点収差板１６２により、レーザ光の進行方向が変化させられることを模式的に示す図である。なお、同図（ｃ）、（ｄ）は、図１３（ａ）のように配置されたハーフミラー１６１と非点収差板１６２をＸ軸正方向に見た模式図である。
【００８４】
同図（ａ）に示す如く、ハーフミラー１６１の出射面側には、谷形状となるよう２つの異なる傾斜面１６１ａ、１６１ｂが形成されている。また、同図（ｂ）に示す如く、非点収差板１６２の出射面側には、山形状となるよう２つの異なる傾斜面１６２ａ、１６２ｂが形成されている。ハーフミラー１６１の傾斜面の交線１６１ｋは、図７（ｂ）に示す平面方向に合わせられる。また、非点収差板１６２の傾斜面の交線１６２ｋは、図７（ｂ）に示す曲面方向に合わせられる。
【００８５】
同図（ｃ）、（ｄ）に示す如く、ハーフミラー１６１に入射する反射光を平面方向と曲面方向に平行な２つの直線で４分割した光束領域Ａ〜Ｄの光束は、ハーフミラー１６１の傾斜面１６１ａ、１６１ｂと、非点収差板１６２の傾斜面１６２ａ、１６２ｂに入射する。これにより、光束領域Ａ〜Ｄの光束は、傾斜面１６１ａ、１６１ｂと傾斜面１６２ａ、１６２ｂによって矢印方向に進行方向が変えられる。したがって、光束領域Ａ〜Ｄの光束は、ハーフミラー１６１と非点収差板１６２を通ることにより、それぞれ、同図（ｅ）の方向Ｄａ〜Ｄｄに進行方向が変えられる。ここで、方向Ｄａ〜Ｄｄは、図４（ａ）の方向Ｄａ〜Ｄｄに相当する。
【００８６】
こうして、光束領域Ａ〜Ｄを通る反射光の光束の進行方向は、ハーフミラー１６１と非点収差板１６２により変化される。また、反射光の光束は、ハーフミラー１６１と、非点収差板１６２、１６３により上記変更例３と同様に非点収差が導入される。これにより、上記実施例と同様の効果が奏される。
【００８７】
また、本変更例では、上記変更例３に比べて、分光素子１１１が用いられないため、光ピックアップ装置にかかるコストをさらに抑制することが可能となる。また、本変更例では、上記変更例３に比べて、光ピックアップ装置の部品点数が減少するため、さらに光ピックアップ装置の小型化が可能となる。
【００８８】
なお、、図１３（ｂ）に示すように、ディスク上のトラックの接線方向がＸ軸方向に対して４５度傾くように、光ピックアップ装置の光学系が設定されても良い。この場合の光ピックアップ装置の光学系は、図１３（ｂ）に示す如く、図１３（ａ）の光学系から、非点収差板１６３が省略される。また、光検出器１１３は、図１３（ａ）の状態からＸ軸の周りに４５度回転される。
【００８９】
図１３（ｂ）の構成では、ハーフミラー１６１と非点収差板１６２によって、それぞれ
、レーザ光に非点収差が導入される。すなわち、レーザ光は、ハーフミラー１６１によってＹ軸方向に収束され、非点収差が導入される。また、レーザ光は、非点収差板１６２によってＺ軸方向に収束され、非点収差が導入される。ハーフミラー１６１による収束作用と非点収差板１６２による収束作用が等しいと、非点収差が生じない。よって、この構成では、ハーフミラー１６１による収束作用と非点収差板１６２による収束作用が相違するように、ハーフミラー１６１と非点収差板１６２が構成される。
【００９０】
図１３（ｂ）の構成例では、ハーフミラー１６１と非点収差板１６２は、図１５（ａ）、（ｂ）に示す如く、それぞれ、２つの傾斜面を有している。また、この場合のハーフミラー１６１と非点収差板１６２は、図１５（ｃ）、（ｄ）に示す如く、ハーフミラー１６１の交線１６１ｋがＺ軸方向に平行となり、非点収差板１６２の交線１６２ｋがＹ軸方向に平行となるように配置される。これにより、図１５（ｅ）に示す如く、反射光の各光束領域は、平面方向と曲面方向に対して４５度の角をなす方向に分離される。よって、上記実施例と同様の効果が奏される。
【００９１】
以上、本発明の実施例について説明したが、本発明は、上記実施例に何ら制限されるものではなく、また、本発明の実施例も上記以外に種々の変更が可能である。
【００９２】
たとえば、上記実施例と変更例１では、分光素子１１１がアナモレンズ１１２の前段に配置されたが、分光素子１１１をアナモレンズ１１２の後段に配置しても良い。また、上記変更例３では、図１２（ａ）に示すように、反射光の進行方向に沿って、非点収差板１５２、１５３と、分光素子１１１が設置されたが、これらの配置順序は任意に変更しても良い。また、上記変更例４では、図１３（ａ）に示すように、反射光の進行方向に沿って、非点収差板１６２、１６３が設置されたが、これらの配置順序は任意に変更しても良い。
【００９３】
また、上記変更例４では、図１３（ａ）に示すように、ハーフミラー１６１と非点収差板１６２に分光作用を持たせたが、ハーフミラー１６１と、非点収差板１６２、１６３のうち、何れに分光作用を持たせても良い。たとえば、ハーフミラー１６１と非点収差板１６３に分光作用を持たせても良いし、非点収差板１６２、１６３に分光作用を持たせても良いし、何れか１つに分光作用を持たせても良い。たとえば、図１６（ａ）に示すように、非点収差板１６２にのみ分光作用を持たせてもよい。この場合、非点収差板１６２は、出射面に、図８（ａ）の傾斜面１１１ａ〜１１１ｄに対応する傾斜面１６２ａ〜１６２ｄが形成される。
【００９４】
なお、この場合、非点収差板１６２の出射面に形成された４つの傾斜面１６２ａ〜１６２ｄの傾き角は、図８（ａ）の場合と異なっている。すなわち、図７（ａ）に示す上記実施例の構成では、分光素子１１１がレーザ光の光軸に垂直となるように配置されているが、図１６（ａ）の構成では、非点収差板１６２がレーザ光の光軸に対して傾いて配置されている。よって、かかる非点収差板１６２の傾きを加味して、非点収差板１６２の出射面の４つの傾斜面１６２ａ〜１６２ｄの傾き角が設定される。この点において、非点収差板１６２の出射面に形成された４つの傾斜面１６２ａ〜１６２ｄの傾き角は、図８（ａ）の場合と異なっている。
【００９５】
また、図１３（ｂ）に示す場合にも、ハーフミラー１６１と非点収差板１６２のうち、何れか１つに分光作用を持たせても良い。ハーフミラー１６１のみに分光作用を持たせる場合には、非点収差板１６２を省略することもできる。すなわち、図１３（ｂ）の構成例では、分光作用をハーフミラー１６１と非点収差板１６２に分担させるようにしたため、非点収差板１６２が配置された。しかしながら、ハーフミラー１６１のみに分光作用を持たせる場合には、非点収差板１６２は非点収差の調整のみに寄与することとなる。よって
、非点収差板１６２による非点収差の調整が不要な場合、すなわち、ハーフミラー１６１による非点収差作用のみを用いてレーザ光に非点収差を導入する場合には、非点収差板１６２が省略される。
【００９６】
図１６（ｂ）は、図１３（ｂ）に示す光学系から、ハーフミラー１６１のみに分光作用を持たせた場合の光学系を示す図である。この場合のハーフミラー１６１の出射面には、図８（ａ）で示したような４つの異なる傾斜面が形成されており、これら傾斜面の境界はＹ軸方向またはＺ軸方向となっている。これにより、図１３（ｂ）と同様の分光作用が実現される。また、この場合、コリメートレンズ１０５からＸ軸方向に向かう反射光は収束光であり、トラック接線方向は、Ｘ軸に対して４５度傾いているため、ハーフミラー１６１のみによって、図１３（ｂ）と同様の非点収差作用が実現される。
【００９７】
なお、この場合も、図１６（ａ）の非点収差板１６２の場合と同様、ハーフミラー１６１の出射面に形成された４つの異なる傾斜面の傾き角は、図８（ａ）の場合と異なっている。すなわち、図７（ａ）に示す上記実施例の構成では、分光素子１１１がレーザ光の光軸に垂直となるように配置されているが、図１６（ｂ）の構成では、ハーフミラー１６１がレーザ光の光軸に対して傾いている。よって、かかるハーフミラー１６１の傾きを加味して、ハーフミラー１６１の出射面の４つの異なる傾斜面の傾き角が設定される。
【００９８】
また、上記変更例において、図１２（ｂ）、図１３（ｂ）、図１６に示したように、トラックの接線方向がＸ軸に対して４５度傾けられる場合、２波長対物レンズ１０９とＢＤ対物レンズ１１０の替わりに、ＢＤ光、ＤＶＤ光、ＣＤ光に対応した１つの対物レンズが用いられるようにしても良い。こうすると、ＢＤ光、ＤＶＤ光、ＣＤ光のいずれのレーザ光が用いられる場合でも、対物レンズをディスクの径方向に移動させることが可能となる。
【００９９】
この他、本発明の実施の形態は、特許請求の範囲に示された技術的思想の範囲内において、適宜、種々の変更が可能である。
【符号の説明】
【０１００】
１０１  …  半導体レーザ（第１のレーザ光源）
１０２  …  ２波長レーザ（第２のレーザ光源）
１０３  …  ダイクロイックミラー（光学素子）
１０９  …  ２波長対物レンズ（対物レンズ部）
１１０  …  ＢＤ対物レンズ（対物レンズ部）
１１１  …  分光素子（分光部）
１１１ａ〜１１１ｄ  …  傾斜面
１１２  …  アナモレンズ（非点収差部）
１１３  …  光検出器
１４１  …  複合レンズ（非点収差部、分光部）
１４１ａ〜１４１ｄ  …  傾斜面
１５１  …  ハーフミラー（非点収差部、平行平板）
１５２  …  非点収差板（非点収差部、平行平板）
１５３  …  非点収差板（非点収差部、平行平板）
１６１  …  ハーフミラー（非点収差部、分光部、第１または第２の板状部材）
１６２  …  非点収差板（非点収差部、分光部、第１または第２の板状部材）
１６３  …  非点収差板（非点収差部、平行平板）
１６１ａ、１６１ｂ、１６２ａ〜１６２ｄ  …  傾斜面
Ｂ１〜Ｂ８  …  センサ部
【図１】
2012094223.tif 000003
【図２】
2012094223.tif 000004
【図３】
2012094223.tif 000005
【図４】
2012094223.tif 000006
【図５】
2012094223.tif 000007
【図６】
2012094223.tif 000008
【図７】
2012094223.tif 000009
【図８】
2012094223.tif 000010
【図９】
2012094223.tif 000011
【図１０】
2012094223.tif 000012
【図１１】
2012094223.tif 000013
【図１２】
2012094223.tif 000014
【図１３】
2012094223.tif 000015
【図１４】
2012094223.tif 000016
【図１５】
2012094223.tif 000017
【図１６】
2012094223.tif 000018